(57)【要約】【課題】安全性を大幅に増進し、レーザー光が目に直接出射することを防ぎ、目の病変確率を効率的に降下できる光受送信モジュールの保護構造を提供すること。【解決手段】内部が光受送信器及び回路基板を設けるためのボディケースが設けられ、前記ボディケースの一方側の開口にプレートが可動的に枢設され、前記プレートより光受送信器をボディケース内に閉じ込めることによって、光ファイバー接続線が光受送信モジュールから分離するときに、このプレートがボディケースを閉め、光受送信器が発射するレーザー光を遮断することを特徴とする。【選択図】  図２
0003115043.tif 000002
【実用新案登録請求の範囲】
【請求項１】
内部が光受送信器及び回路基板を設けるためのボディケースが設けられ、
前記ボディケースの一方側の開口にプレートが可動的に枢設され、
前記プレートより光受送信器をボディケース内に閉じ込めることによって、光ファイバー接続線が光受送信モジュールから分離するときに、このプレートがボディケースを即時に閉めて、光受送信器が発射するレーザー光を遮断することを特徴とする光受送信モジュールの保護構造。
【請求項２】
前記ボディケースの開口周縁には軸穴が設けられ、軸が限度ばねが結合されるプレートに軸合させ、自動復元機能のある自動閉め構造を形成することを特徴とする請求項１記載の光受送信モジュールの保護構造。
【請求項３】
前記限度ばねの一方側がプレートに結合し、もう一方側はボディケースの外側の底部に当接することを特徴とする請求項２記載の光受送信モジュールの保護構造。
【請求項４】
前記ボディケース開口の軸穴が開口の天井側に設置され、且つ開口の左右両側に嵌合溝がそれぞれ設置され、軸により相対位置に嵌合ブロックが設けられるプレートに軸合し、重力より自然落下の自動閉め構造を形成することを特徴とする請求項１記載の光受送信モジュールの保護構造。
【考案の詳細な説明】
【技術分野】
【０００１】
本考案は、目がレーザー光に傷害されることを低下できる光受送信モジュールの保護構造に係わり、光ファイバー伝送のアクティブ素子、例えば光受送信モジュール或は類似構造に適応可能な光受送信モジュールの保護構造に関するものである。
【背景技術】
【０００２】
光ファイバー伝送技術は、近年の著しく発展されている新しい技術であり、以下のような利点がある。
１．抵抗が小さく伝送距離が長い、且つ歪みが低い。
２．光伝送が非常に安全で、電磁波を有さない。
３．コアに信号が伝送され、燃焼しやすい場所にも使えるので、とても安全である。
４．体積が小さく重量が軽い。
５．周波幅が大きく、大量伝送に適する。
そのため、光ファイバー技術は、各種信号の伝送に広く適応されている。
【考案の開示】
【考案が解決しようとする課題】
【０００３】
図１を参照すると、従来の光受送信モジュールは、接続ボディ本体Ａを設け、接続ボディ本体Ａ内に光受送信器（図を示さず）が設けられ、且つ該接続ボディ本体Ａには開口Ａ１が設けられ、光ファイバー接続線を差し受け接合でき、該光受送信モジュールが使用されないとき、塵防止キャップで閉じられ、塵異物が光受送信モジュールの伝送品質に影響することを防ぎ、使用されるときだけ塵防止キャップを取り外し、光ファイバー接続線の差し受け接合に供える。しかし、塵防止キャップが使用する前の塵防止機能のみに供え、且つ接続ボディ本体Ａに接続されないので、取り外した後に常に置く場所はないため遺失し易くなる。
【０００４】
また、塵防止キャップ或は光ファイバー接続線が光受送信モジュールの開口Ａ１と分離するときに、該光受送信モジュールのレーザー光が開口Ａ１から直接出射され、レーザー光が目に対しの傷害が大きいため、目の病変になり易く、これはその最も重要な欠点である。
【０００５】
本考案は、これらの欠点を鑑み、安全性を向上できる光受送信モジュールの保護構造を提供することを目的とする。
【０００６】
本考案の主な目的は、安全性を大幅に増進し、レーザー光が目に直接出射することを防ぎ、目の病変確率を効率的に降下できる光受送信モジュールの保護構造を提供することにある。
【課題を解決するための手段】
【０００７】
前記目的を達成するために、本考案は、内部が光受送信器及び回路基板を設けるためのボディケースが設けられ、このボディケースの一方側にプレートが可動的に枢設され、このプレートより光受送信器をボディケース内に閉じ込めることによって、光ファイバー接続線が光受送信モジュールから分離するときに、このプレートがボディケースを即時に閉め、光受送信器が発射するレーザー光を遮断し、レーザー光が目を傷害する確率を効率的に降下でき、安全性の高い光受送信モジュールの保護構造が形成できる。
【０００８】
即ち、本願の第１考案は、内部が光受送信器及び回路基板を設けるためのボディケースが設けられ、前記ボディケースの一方側の開口にプレートが可動的に枢設され、前記プレートより光受送信器をボディケース内に閉じ込めることによって、光ファイバー接続線が光受送信モジュールから分離するときに、このプレートがボディケースを即時に閉めて、光受送信器が発射するレーザー光を遮断することを特徴とする光受送信モジュールの保護構造である。
本願の第２考案は、前記ボディケースの開口周縁には軸穴が設けられ、軸が限度ばねが結合されるプレートに軸合させ、自動復元機能のある自動閉め構造を形成することを特徴とする前記第1考案に記載の光受送信モジュールの保護構造である。
本願の第３考案は、前記限度ばねの一方側がプレートに結合し、もう一方側はボディケースの外側の底部に当接することを特徴とする前記第２考案に記載の光受送信モジュールの保護構造である。
本願の第４考案は、前記ボディケース開口の軸穴が開口の天井側に設置され、且つ開口の左右両側に嵌合溝がそれぞれ設置され、軸により相対位置に嵌合ブロックが設けられるプレートに軸合し、重力より自然落下の自動閉め構造を形成することを特徴とする前記第1考案に記載の光受送信モジュールの保護構造である。
【考案を実施するための最良の形態】
【０００９】
本考案の他の目的及び利点は、後続の説明及び図示より詳しく説明する。
図１は従来の光受送信モジュールの斜視外観図であり、その構造は、前記のようであるので、重複して説明はしない。
【００１０】
図２〜図３を参照すると、本考案の光受送信モジュール１は、主に、ボディケース１０がボディシェル１４に嵌合され、ボディケース１０の前端の開口周縁には軸１３を貫通するための軸穴が設けられ、この軸１３が軸合する際に、プレート１１と限度ばね１２をともに軸合し、この限度ばね１２の両側が直角に形成され、軸合するときに限度ばね１２の一側をボディケースの底部に当接し、もう一側がプレート１１と結合させ、プレート１１を常態で限度ばね１２に制限されるようにし、ボディケース１０の開口を閉める。
【００１１】
このボディケース１０の内部には、光受送信器２０及び回路基板３０が設置され、この光受送信器２０は、レーザーダイオード２１及び光検知器２２を一体に整合し、回路基板３０に変換回路が設けられ、且つ回路基板３０と光受送信器２０とが連結されるため、回路基板３０が電気信号を受信するときに、レーザーダイオード２１を駆動してレーザー光を発射し、光検知器２２が光信号を受信するときに、変換回路により光信号を電気信号に変換し信号伝送を完成する。
【００１２】
光ファイバー接続線４０を結合しようとするときに、プレート１１に力を施しプレート１１をボディケース１０の端部に離れるように反転し、ボディケース１０の開口を現わせ、光ファイバー接続線４０の差し受け接合をし易くようになり、光受送信器２０と光ファイバー接続線４０とを結合させ、図４に示されるように、光受送信モジュール１を使用するときに、この光ファイバー接続線４０内部の光ファイバーが、快速、正確的に信号を伝送でき、光ファイバー接続線４０を取り外すときに、光ファイバー接続線４０に引き力を施し、ファイバー接続線４０がボディケース１０の開口に離れる後に、限度ばね１２の抵抗が消えるため、限度ばね１２が元に戻り、プレート１１を再びボディケース１０の開口に閉め、光受送信器２０が発射する傷害性のあるレーザー光を遮断し、レーザー光が目に直接与える確率を効率的に降下させる。
【００１３】
図５〜図６は本考案の第２実施例である。ボディケース１０の開口天井側に軸穴が設置され、且つ開口の左右両側に嵌合溝１５がそれぞれ設けられ、この軸穴が軸１３を介してプレート１１に軸合し、プレート１１の相対位置に二つの嵌合ブロック１１０が設けられ、また底部側に凸部１１１が設けられ、この二つの嵌合ブロック１１０が嵌合溝１５に嵌め合うためのもので、凸部１１１は指の入れに便利を果たせるもので、且つ、ボディケース１０内には回路基板３０と光受送信器２０とが連設され、プレート１１に引き力を施し、二つの嵌合ブロック１１０を嵌合溝１５から離脱し開口を露出させ、光ファイバー接続線４０の差し受け接合に供え、光ファイバー接続線４０が引き離れた後に、プレート１１が自重のために支持物がなくなると自然に落下し、同様に傷害性のあるレーザー光を効率的に遮断する効果が達成でき、さらにプレート１１に押し力を施し、二つの嵌合ブロック１１０を再び嵌合溝１５に嵌合させ、ボディケース１０の開口を閉める。
【００１４】
以上のように、本考案は軸をプレートに軸合することで、光ファイバー接続線が光受送信モジュールから離れる時に、プレートが光受送信モジュールの開口を即時に閉めることができ、従来の光ファイバー接続線が光受送信モジュールから離れた後に、傷害性のあるレーザー光が何の障碍もなく光受送信モジュールの開放している開口から直接出射し、目に傷害を与えるような欠点を効率的に改善できる。
【００１５】
以上に開示されたそれぞれの具体的な構成は、単に本考案の実施可能な実施例に過ぎなく、本考案の特徴を限定されるものではない。
【図面の簡単な説明】
【００１６】
【図１】従来の光受送信モジュールの斜視外観図である。
【図２】本考案の実施例の斜視外観図である。
【図３】本考案の実施例の部材を示す分解図である。
【図４】本考案の実施例の光ファイバー接続線を分離するときの使用状態を示す図である。
【図５】本考案の第２実施例の斜視外観図である。
【図６】本考案の第２実施例の使用状態を示す図である。
【符号の説明】
【００１７】
Ａ・・・・・・接続ボディ本体
Ａ１・・・・・開口
１・・・・・・光受送信モジュール
１０・・・・・ボディケース
１４・・・・・ボディシェル
１３・・・・・軸
１１・・・・・プレート
１２・・・・・限度ばね
２０・・・・・光受送信器
３０・・・・・回路基板
２１・・・・・レーザーダイオード
２２・・・・・光検知器
４０・・・・・光ファイバー接続線
１５・・・・・嵌合溝
１１０・・・・嵌合ブロック
１１１・・・・凸部
【図１】
0003115043.tif 000003
【図２】
0003115043.tif 000004
【図３】
0003115043.tif 000005
【図４】
0003115043.tif 000006
【図５】
0003115043.tif 000007
【図６】
0003115043.tif 000008